(57)【要約】【課題】電動遮蔽装置を遠隔操作する際の操作性を向上させた移動端末、及び電動遮蔽装置の遠隔操作システムを提供する。【解決手段】本発明による第１態様の移動端末１は、操作対象の電動遮蔽装置８の現在状態を示すデバイス表示画像を表示画面に提示し、その簡易表示上に当該現在状態にて操作可能なタスクを示す操作タスク画像を合成表示し、該タスクに対するタッチ操作で当該電動遮蔽装置８の遠隔操作を実行する。本発明による第２態様の移動端末１は、操作対象の電動遮蔽装置８と直接又は間接的に通信を確立した後に、当該移動端末１の傾動動作を認識し、移動端末の傾動動作に応じて操作対象の電動遮蔽装置８の遠隔操作を実行する。本発明の移動端末１による電動遮蔽装置８の遠隔操作システムは、移動端末１によって電動遮蔽装置８に設けられるビーコン端末からビーコン信号を受信し、当該ビーコン信号を発信した電動遮蔽装置の遠隔操作を実行する。【選択図】図３
2019114880.tif 000002
【特許請求の範囲】
【請求項１】
タッチパネル式の表示画面を備え電動遮蔽装置に対する遠隔操作を可能とする移動端末であって、
操作対象の電動遮蔽装置と直接又は間接的に通信し前記操作対象の電動遮蔽装置の現在状態を示すデバイス表示画像を前記表示画面に提示する現在状態提示手段と、
前記簡易表示上に当該現在状態にて操作可能なタスクを示す操作タスク画像を合成表示するタスク提示手段と、
前記タスクに対するタッチ操作で前記操作対象の電動遮蔽装置の遠隔操作を実行する制御信号を出力する実行手段と、を備えることを特徴とする移動端末。
【請求項２】
前記現在状態提示手段は、当該遠隔操作に対応して動作する前記操作対象の電動遮蔽装置の状態を前記デバイス表示画像として前記表示画面に更新提示する手段を有し、
前記タスク提示手段は当該更新提示した該簡易表示上に当該遠隔操作に対応して動作した状態にて操作可能なタスクを示す操作タスク画像を動的に合成表示する手段を有することを特徴とする、請求項１に記載の移動端末。
【請求項３】
前記操作対象の電動遮蔽装置が遮蔽材の開閉及び回転操作可能である際に、遮蔽材の開閉操作時と遮蔽材の回転操作時とで、前記デバイス表示画像及び前記操作タスク画像を示すインターフェースをタッチ操作で切り替える画面切替手段を更に備えることを特徴とする、請求項１又は２に記載の移動端末。
【請求項４】
前記操作対象の電動遮蔽装置が遮蔽材の開閉及び回転操作可能である際に、遮蔽材の開閉操作と遮蔽材の回転操作とを並列に可能とするために、前記デバイス表示画像及び前記操作タスク画像を並列又は同時に示す現在状態・タスク提示手段を更に備えることを特徴とする、請求項１又は２に記載の移動端末。
【請求項５】
前記実行手段は、当該タスクに対するタッチ操作の押圧レベルに応じて遮蔽材の開閉速度を可変に対応付けて実行する制御信号を出力する手段を有することを特徴とする、請求項１から４のいずれか一項に記載の移動端末。
【請求項６】
自端末の物理角度、物理動作速度、物理動作加速度、及び振動のうち１以上を検知する状態センサを備え電動遮蔽装置に対する遠隔操作を可能とする移動端末であって、
操作対象の電動遮蔽装置と直接又は間接的に通信を確立した後に、当該移動端末の傾動動作を認識する傾動動作認識手段と、
当該移動端末の傾動動作に応じて前記操作対象の電動遮蔽装置の遠隔操作を実行する制御信号を出力する実行手段と、
を備えることを特徴とする移動端末。
【請求項７】
前記実行手段は、当該移動端末に関して予め登録又は予め定められた基準位置に対し三次元座標軸のうち予め定めた少なくとも一軸方向の傾動動作に対応付けて遮蔽材の開閉動作を実行する制御信号を出力する手段を有することを特徴とする、請求項６に記載の移動端末。
【請求項８】
前記実行手段は、当該移動端末による当該操作対象の電動遮蔽装置を遠隔操作するための通信を確立した時点の当該移動端末の物理状態を基準位置とし、該基準位置に対し三次元座標軸のうち予め定めた少なくとも一軸方向の傾動動作に対応付けて遮蔽材の開閉動作を実行する制御信号を出力する手段を有することを特徴とする、請求項６に記載の移動端末。
【請求項９】
前記実行手段は、当該基準位置にて遮蔽材の開閉動作を停止させる制御信号を出力する手段を有することを特徴とする、請求項７又は８に記載の移動端末。
【請求項１０】
前記実行手段は、当該基準位置に対し三次元座標軸のうち予め定めた少なくとも一軸方向の傾動動作の傾斜角度に対応付けて遮蔽材の開閉速度を可変に実行する制御信号を出力する手段を有することを特徴とする、請求項７から９のいずれか一項に記載の移動端末。
【請求項１１】
前記実行手段は、当該基準位置に対し三次元座標軸のいずれかの予め定めた少なくとも一軸方向の傾動動作の速度又は加速度に対応付けて遮蔽材の開閉速度を可変に実行する制御信号を出力する手段を有することを特徴とする、請求項７から１０のいずれか一項に記載の移動端末。
【請求項１２】
前記実行手段は、当該基準位置に対し三次元座標軸のうち予め定めた少なくとも一軸方向の傾動動作の繰り返し回数に対応付けて遮蔽材の開閉速度を可変に実行する制御信号を出力する手段を有することを特徴とする、請求項７から１１のいずれか一項に記載の移動端末。
【請求項１３】
前記実行手段は、前記操作対象の電動遮蔽装置が遮蔽材の回転操作可能である際に、当該基準位置に対し三次元座標軸のうち予め定めた他軸方向の傾動動作に対応付けて遮蔽材の回転動作を実行する制御信号を出力する手段を有することを特徴とする、請求項７から１２のいずれか一項に記載の移動端末。
【請求項１４】
前記実行手段は、前記操作対象の電動遮蔽装置が遮蔽材の回転操作可能である際に、当該基準位置に対し三次元座標軸のうち予め定めた他軸方向の傾動動作の傾斜角度の大きさに対応付けて遮蔽材の回転操作量を実行する制御信号を出力する手段を有することを特徴とする、請求項７から１３のいずれか一項に記載の移動端末。
【請求項１５】
前記実行手段は、当該傾動動作の所定の加速度の大きさに対応付けた開閉操作量で遮蔽材の開閉を実行するよう構成されていることを特徴とする、請求項７から１４のいずれか一項に記載の移動端末。
【請求項１６】
前記実行手段は、当該傾動動作の所定の加速度及び傾斜角度の双方の大きさに対応付けた開閉操作量で遮蔽材の開閉を実行するよう構成されていることを特徴とする、請求項１５に記載の移動端末。
【請求項１７】
前記実行手段は、当該移動端末に関して予め定められたボタン又はタッチ操作にて遮蔽材の開閉動作を停止させる制御信号を出力する手段を有することを特徴とする、請求項７から１６のいずれか一項に記載の移動端末。
【請求項１８】
前記実行手段は、前記制御信号の出力時にバイブレーションで通知するよう構成されていることを特徴とする、請求項７から１７のいずれか一項に記載の移動端末。
【請求項１９】
前記実行手段は、当該移動端末の左右又は上下の傾動動作を、それぞれ当該操作対象の電動遮蔽装置における遮蔽材の左右又は上下の開閉方向に対応付けた制御信号を出力することを特徴とする、請求項１から１８のいずれか一項に記載の移動端末。
【請求項２０】
タッチパネル式の表示画面を備える移動端末により信号処理装置を介して電動遮蔽装置に対する遠隔操作を可能とする電動遮蔽装置の遠隔操作システムであって、
移動端末と第１の近距離無線通信を介して通信可能な固有のビーコン端末を有する電動遮蔽装置と、
前記電動遮蔽装置に設けられるビーコン端末から該電動遮蔽装置を遠隔操作可能とする旨を示すビーコン信号を受信し、第２の近距離無線通信を介して信号処理装置と通信し当該ビーコン信号を発信した電動遮蔽装置の操作要求を前記信号処理装置に送信し、前記電動遮蔽装置の操作に関するユーザーインターフェースを当該表示画面に提示させる手段、及び、前記ユーザーインターフェースを基に当該電動遮蔽装置の操作を実行する制御信号を出力する手段を有する移動端末と、
前記移動端末から送信される当該操作要求を受け付け前記ユーザーインターフェースを前記移動端末に提示する手段、及び、前記ユーザーインターフェース上の操作を受け付け対応する制御コマンドを含む無線信号を第３の近距離無線通信を介して当該電動遮蔽装置に送信し実行させる手段を有する当該信号処理装置と、
を備えることを特徴とする電動遮蔽装置の遠隔操作システム。
【請求項２１】
前記移動端末をＷｅｂ端末として機能させるために、前記信号処理装置はＷｅｂサーバとして機能するよう構成されていることを特徴とする、請求項２０に記載の電動遮蔽装置の遠隔操作システム。
【請求項２２】
前記移動端末は、前記信号処理装置に対しユーザ認証を基に当該ビーコン信号を発信した電動遮蔽装置の操作要求を送信することを特徴とする、請求項２０又は２１に記載の電動遮蔽装置の遠隔操作システム。
【請求項２３】
前記移動端末は、遠隔操作可能とする旨を示すビーコン信号を受信した１以上の電動遮蔽装置を識別可能に前記表示画面に表示することを特徴とする、請求項２０から２２のいずれか一項に記載の電動遮蔽装置の遠隔操作システム。
【発明の詳細な説明】
【技術分野】
【０００１】
本発明は、電動遮蔽装置を制御する移動端末、及び電動遮蔽装置の遠隔操作システムに関する。
【背景技術】
【０００２】
従来、スマートフォンやタブレット等の移動端末を用いて、電動式の縦型又は横型ブラインド、ロールスクリーン、カーテン、ローマンシェード等の屋内の電動遮蔽装置を制御可能とするシステムが知られている。
【０００３】
例えば、リモートコントローラや有線スイッチで操作可能な電動遮蔽装置に対し、タッチパネル式の表示画面を備える移動端末をリモートコントローラや有線スイッチと同等に機能させるだけでなく、種々の電動遮蔽装置の個別操作、グループ操作、全体操作、或いはタイマー操作の操作性を向上させるよう、移動端末から中継変換機を介して電動遮蔽装置へと通信接続する技法が開示されている（例えば、特許文献１参照）。
【０００４】
この特許文献１の技法においては、移動端末と送受信親機或いは中継変換機との接続のために、Ｗｉ−Ｆｉ等の近距離無線通信、或いはインターネット経由の接続を想定し、移動端末のタッチパネル式の表示画面に提示される電動遮蔽装置の操作に係るアプリケーションを起動すると、操作対象の電動遮蔽装置のタスクが表示されるものとなっている。
【先行技術文献】
【特許文献】
【０００５】
【特許文献１】特開２０１７−３４４１９号公報
【発明の概要】
【発明が解決しようとする課題】
【０００６】
上述したように、特許文献１には、電動遮蔽装置に対し、タッチパネル式の表示画面を備える移動端末から中継変換機を介して電動遮蔽装置へと通信接続する技法が開示されている。しかし、移動端末から電動遮蔽装置を遠隔操作する際に、その操作性に関して更なる向上が望まれる。
【０００７】
本発明の目的は、上述した問題に鑑みて、電動遮蔽装置を遠隔操作する際の操作性を向上させた移動端末、及び電動遮蔽装置の遠隔操作システムを提供することにある。
【課題を解決するための手段】
【０００８】
本発明による第１態様の移動端末は、タッチパネル式の表示画面を備え電動遮蔽装置に対する遠隔操作を可能とする移動端末であって、操作対象の電動遮蔽装置と直接又は間接的に通信し前記操作対象の電動遮蔽装置の現在状態を示すデバイス表示画像を前記表示画面に提示する現在状態提示手段と、前記簡易表示上に当該現在状態にて操作可能なタスクを示す操作タスク画像を合成表示するタスク提示手段と、前記タスクに対するタッチ操作で前記操作対象の電動遮蔽装置の遠隔操作を実行する制御信号を出力する実行手段と、を備えることを特徴とする。
【０００９】
また、本発明による第１態様の移動端末において、前記現在状態提示手段は、当該遠隔操作に対応して動作する前記操作対象の電動遮蔽装置の状態を前記デバイス表示画像として前記表示画面に更新提示する手段を有し、前記タスク提示手段は当該更新提示した該簡易表示上に当該遠隔操作に対応して動作した状態にて操作可能なタスクを示す操作タスク画像を動的に合成表示する手段を有することを特徴とする。
【００１０】
また、本発明による第１態様の移動端末において、前記操作対象の電動遮蔽装置が遮蔽材の開閉及び回転操作可能である際に、遮蔽材の開閉操作時と遮蔽材の回転操作時とで、前記デバイス表示画像及び前記操作タスク画像を示すインターフェースをタッチ操作で切り替える画面切替手段を更に備えることを特徴とする。
【００１１】
また、本発明による第１態様の移動端末において、前記操作対象の電動遮蔽装置が遮蔽材の開閉及び回転操作可能である際に、遮蔽材の開閉操作と遮蔽材の回転操作とを並列に可能とするために、前記デバイス表示画像及び前記操作タスク画像を並列又は同時に示す現在状態・タスク提示手段を更に備えることを特徴とする。
【００１２】
また、本発明による第１態様の移動端末において、前記実行手段は、当該タスクに対するタッチ操作の押圧レベルに応じて遮蔽材の開閉速度を可変に対応付けて実行する制御信号を出力する手段を有することを特徴とする。
【００１３】
更に、本発明による第２態様の移動端末は、自端末の物理角度、物理動作速度、物理動作加速度、及び振動のうち１以上を検知する状態センサを備え電動遮蔽装置に対する遠隔操作を可能とする移動端末であって、操作対象の電動遮蔽装置と直接又は間接的に通信を確立した後に、当該移動端末の傾動動作を認識する傾動動作認識手段と、当該移動端末の傾動動作に応じて前記操作対象の電動遮蔽装置の遠隔操作を実行する制御信号を出力する実行手段と、を備えることを特徴とする。
【００１４】
また、本発明による第２態様の移動端末において、前記実行手段は、当該移動端末に関して予め登録又は予め定められた基準位置に対し三次元座標軸のうち予め定めた少なくとも一軸方向の傾動動作に対応付けて遮蔽材の開閉動作を実行する制御信号を出力する手段を有することを特徴とする。
【００１５】
また、本発明による第２態様の移動端末において、前記実行手段は、当該移動端末による当該操作対象の電動遮蔽装置を遠隔操作するための通信を確立した時点の当該移動端末の物理状態を基準位置とし、該基準位置に対し三次元座標軸のうち予め定めた少なくとも一軸方向の傾動動作に対応付けて遮蔽材の開閉動作を実行する制御信号を出力する手段を有することを特徴とする。
【００１６】
また、本発明による第２態様の移動端末において、前記実行手段は、当該基準位置にて遮蔽材の開閉動作を停止させる制御信号を出力する手段を有することを特徴とする。
【００１７】
また、本発明による第２態様の移動端末において、前記実行手段は、当該基準位置に対し三次元座標軸のうち予め定めた少なくとも一軸方向の傾動動作の傾斜角度に対応付けて遮蔽材の開閉速度を可変に実行する制御信号を出力する手段を有することを特徴とする。
【００１８】
また、本発明による第２態様の移動端末において、前記実行手段は、当該基準位置に対し三次元座標軸のいずれかの予め定めた少なくとも一軸方向の傾動動作の速度又は加速度に対応付けて遮蔽材の開閉速度を可変に実行する制御信号を出力する手段を有することを特徴とする。
【００１９】
また、本発明による第２態様の移動端末において、前記実行手段は、当該基準位置に対し三次元座標軸のうち予め定めた少なくとも一軸方向の傾動動作の繰り返し回数に対応付けて遮蔽材の開閉速度を可変に実行する制御信号を出力する手段を有することを特徴とする。
【００２０】
また、本発明による第２態様の移動端末において、前記実行手段は、前記操作対象の電動遮蔽装置が遮蔽材の回転操作可能である際に、当該基準位置に対し三次元座標軸のうち予め定めた他軸方向の傾動動作に対応付けて遮蔽材の回転動作を実行する制御信号を出力する手段を有することを特徴とする。
【００２１】
また、本発明による第２態様の移動端末において、前記実行手段は、前記操作対象の電動遮蔽装置が遮蔽材の回転操作可能である際に、当該基準位置に対し三次元座標軸のうち予め定めた他軸方向の傾動動作の傾斜角度の大きさに対応付けて遮蔽材の回転操作量を実行する制御信号を出力する手段を有することを特徴とする。
【００２２】
また、本発明による第２態様の移動端末において、前記実行手段は、当該傾動動作の所定の加速度の大きさに対応付けた開閉操作量で遮蔽材の開閉を実行するよう構成されていることを特徴とする。
【００２３】
また、本発明による第２態様の移動端末において、前記実行手段は、当該傾動動作の所定の加速度及び傾斜角度の双方の大きさに対応付けた開閉操作量で遮蔽材の開閉を実行するよう構成されていることを特徴とする。
【００２４】
また、本発明による第２態様の移動端末において、前記実行手段は、当該移動端末に関して予め定められたボタン又はタッチ操作にて遮蔽材の開閉動作を停止させる制御信号を出力する手段を有することを特徴とする。
【００２５】
また、本発明による第２態様の移動端末において、前記実行手段は、前記制御信号の出力時にバイブレーションで通知するよう構成されていることを特徴とする。
【００２６】
また、本発明による第１及び第２態様の移動端末において、前記実行手段は、当該移動端末の左右又は上下の傾動動作を、それぞれ当該操作対象の電動遮蔽装置における遮蔽材の左右又は上下の開閉方向に対応付けた制御信号を出力することを特徴とする。
【００２７】
更に、本発明による電動遮蔽装置の遠隔操作システムは、タッチパネル式の表示画面を備える移動端末により信号処理装置を介して電動遮蔽装置に対する遠隔操作を可能とする電動遮蔽装置の遠隔操作システムであって、移動端末と第１の近距離無線通信を介して通信可能な固有のビーコン端末を有する電動遮蔽装置と、前記電動遮蔽装置に設けられるビーコン端末から該電動遮蔽装置を遠隔操作可能とする旨を示すビーコン信号を受信し、第２の近距離無線通信を介して信号処理装置と通信し当該ビーコン信号を発信した電動遮蔽装置の操作要求を前記信号処理装置に送信し、前記電動遮蔽装置の操作に関するユーザーインターフェースを当該表示画面に提示させる手段、及び、前記ユーザーインターフェースを基に当該電動遮蔽装置の操作を実行する制御信号を出力する手段を有する移動端末と、前記移動端末から送信される当該操作要求を受け付け前記ユーザーインターフェースを前記移動端末に提示する手段、及び、前記ユーザーインターフェース上の操作を受け付け対応する制御コマンドを含む無線信号を第３の近距離無線通信を介して当該電動遮蔽装置に送信し実行させる手段を有する当該信号処理装置と、を備えることを特徴とする。
【００２８】
また、本発明による電動遮蔽装置の遠隔操作システムにおいて、前記移動端末をＷｅｂ端末として機能させるために、前記信号処理装置はＷｅｂサーバとして機能するよう構成されていることを特徴とする。
【００２９】
また、本発明による電動遮蔽装置の遠隔操作システムにおいて、前記移動端末は、前記信号処理装置に対しユーザ認証を基に当該ビーコン信号を発信した電動遮蔽装置の操作要求を送信することを特徴とする。
【００３０】
また、本発明による電動遮蔽装置の遠隔操作システムにおいて、前記移動端末は、遠隔操作可能とする旨を示すビーコン信号を受信した１以上の電動遮蔽装置を識別可能に前記表示画面に表示することを特徴とする。
【発明の効果】
【００３１】
移動端末によって電動遮蔽装置を遠隔操作する際に、その操作性を向上させることができる。
【図面の簡単な説明】
【００３２】
【図１】本発明による第１実施形態の移動端末による電動遮蔽装置の遠隔操作システムの一例を示す図である。
【図２】本発明による第１実施形態の移動端末、及び信号処理装置の概略構成を示すブロック図である。
【図３】（ａ）,（ｂ）,（ｃ）は、それぞれ本発明による第１実施形態の移動端末による電動遮蔽装置の遠隔操作のための実施例１のデバイス操作画面（昇降操作画面）を例示する図である。
【図４】（ａ）,（ｂ）は、それぞれ本発明による第１実施形態の移動端末による電動遮蔽装置の遠隔操作のための実施例２のデバイス操作画面（昇降／回転操作切り替え画面）を例示する図である。
【図５】（ａ）,（ｂ）は、それぞれ本発明による第１実施形態の移動端末による電動遮蔽装置の遠隔操作のための実施例３，４のデバイス操作画面（昇降及び回転操作画面）を例示する図である。
【図６】本発明による第２実施形態の移動端末により電動遮蔽装置の遠隔操作を行う様子を概略的に示す図である。
【図７】本発明による第２実施形態の移動端末、及び信号処理装置の概略構成を示すブロック図である。
【図８】（ａ）,（ｂ）は、それぞれ本発明による第２実施形態の移動端末による電動遮蔽装置の遠隔操作のための実施例１のデバイス操作動作（昇降操作動作）を例示する図である。
【図９】本発明による第２実施形態の移動端末による電動遮蔽装置の遠隔操作のための実施例２のデバイス操作動作（回転操作動作）を例示する図である。
【図１０】（ａ）,（ｂ）は、それぞれ本発明による第２実施形態の移動端末による電動遮蔽装置の遠隔操作のための実施例３のデバイス操作動作（昇降操作動作）を例示する図である。
【図１１】本発明による第３実施形態の移動端末による電動遮蔽装置の遠隔操作システムの一例を示す図である。
【図１２】本発明による第３実施形態の移動端末、及び信号処理装置の概略構成を示すブロック図である。
【図１３】本発明による第３実施形態に係る遠隔操作システムの動作例を示すフローチャートである。
【発明を実施するための形態】
【００３３】
以下、図面を参照して、移動端末１により、近距離無線通信を経て信号処理装置２を経由し操作対象の電動遮蔽装置８を操作可能とする各実施形態の遠隔操作システムについて説明する。
【００３４】
〔第１実施形態〕
（システム全体）
図１は、本発明による第１実施形態の移動端末１による電動遮蔽装置８の遠隔操作システムの一例を示す図である。本例に係る移動端末１は、移動端末１と電動遮蔽装置８との間に設置される中継変換機として機能する信号処理装置２からデバイス操作（電動遮蔽装置８の操作）に関する操作メニュー（図示略）を示すユーザーインターフェース（ＵＩ）が提示されるものとなっている。ただし、本実施形態の変形例として、移動端末１は、操作メニューを提示するアプリケーションを予め記憶して、このアプリケーションの実行により、信号処理装置２を経て電動遮蔽装置８を遠隔操作する構成とすることや、信号処理装置２を各電動遮蔽装置８に備え付けることで、移動端末１が操作対象の電動遮蔽装置８と直接的に通信する形態とすることもできる。
【００３５】
移動端末１は、タッチパネル式の表示画面を有し、操作者による所定種類のタッチ操作（スワイプ操作、ピンチイン操作、ピンチアウト操作、フリック操作、所定回数のタップ操作、及びロングタップ操作を含む）を検出し、そのタッチ操作に予め関連付けた動作を行うよう構成され、例えばスマートフォンやタブレット等とすることができる。特に、本実施形態の移動端末１は、無線ルーター３に対する通信経路６で示すＷｉ−Ｆｉ等の近距離無線通信を介して、この無線ルーター３に有線又は無線ＬＡＮの通信経路４を経て接続される信号処理装置２と相互通信接続可能となっている。尚、無線ルーター３は、通信経路５を経て屋外からの接続又は屋外への接続を許容しており、信号処理装置２は、インターネット等のネットワーク上の一機器として接続されている。
【００３６】
そして、信号処理装置２は、移動端末１により、屋内に設置される種々の電動遮蔽装置８を操作可能とするための中継変換機として構成され、本例ではＷｅｂサーバとして構成され、固有のＷｅｂアドレスを有している。即ち、移動端末１は、当該Ｗｅｂアドレスによって信号処理装置２に通信接続すると、Ｗｅｂサーバとして構成される信号処理装置２から、屋内に設置される種々の電動遮蔽装置８を操作可能とするユーザーインターフェース（ＵＩ）が提示される。このため、移動端末１は、Ｗｅｂサーバ機能を有する信号処理装置２を経て、電動遮蔽装置８を操作するためのＷｅｂ端末として機能するようになっている。
【００３７】
従って、本例の移動端末１は、操作メニューを提示するアプリケーションを予め記憶しておく必要はなく、移動端末１の負荷の増大を避けることができる。ただし、本実施形態の移動端末１は、操作メニューを提示するアプリケーションを予め記憶して、このアプリケーションの実行により、信号処理装置２を経て電動遮蔽装置８を遠隔操作する構成とすることもできる。
【００３８】
信号処理装置２は、移動端末１のタッチパネル式の表示画面上に、当該信号処理装置２との接続を確立するためのＷｅｂアドレスへと誘導する起動アイコンを記憶し表示可能とするよう、登録設定させる機能を有する。また、信号処理装置２は、ユーザ認証（ユーザＩＤ及びパスワード）に基づいてユーザを認証して判別し、ユーザ毎に種々の電動遮蔽装置８の操作に係る各種設定を保持し、その各種設定を当該ＵＩ上で移動端末１に提示できるようになっている。
【００３９】
電動遮蔽装置８は、例えば電動で開閉動作する、縦型又は横型ブライド、ロールスクリーン、カーテンレール、たくし上げカーテン、或いはプリーツスクリーンなどとすることができ、図１に示す例では、代表的に横型ブライドとロールスクリーンが各間仕切り領域（例えば、リビング、寝室、部屋Ａ、…）に１以上設けられている。
【００４０】
移動端末１の操作を基に、信号処理装置２からの無線信号により動作する電動遮蔽装置８には、その無線信号を受信し、無線信号内の操作に係るコマンドに応じた動作を行わせるための制御ユニット８０が設けられている。
【００４１】
制御ユニット８０には当該電動遮蔽装置８における遮蔽材の開閉動作を操作可能とする有線スイッチ８２が有線接続され、尚且つ制御ユニット８０は通信経路９で示す無線信号通信で遠隔操作可能とするリモートコントローラ８１と無線接続可能となっている。その他、赤外線リモコンとの無線接続や、外部機器（パーソナルコンピュータ）との有線又は無線接続で電動遮蔽装置８における遮蔽材の開閉動作を操作可能とすることもきる（図示せず）。
【００４２】
リモートコントローラ８１及び有線スイッチ８２は、それぞれ当該電動遮蔽装置８における遮蔽材の開動作を操作する開ボタン（図示“△”）、開動作を操作する閉ボタン（図示“▽”）、及びその開閉動作の停止を操作する停止ボタン（図示“□”）を有する。
【００４３】
従って、制御ユニット８０を備える電動遮蔽装置８は、それぞれリモートコントローラ８１、有線スイッチ８２、及び移動端末１の操作を基に、遮蔽材の開動作を操作することができるようになっている。尚、図示する例では、個々の電動遮蔽装置８に対し個々のリモートコントローラ８１を図示しているが、１つのリモートコントローラ８１で、複数の電動遮蔽装置８を操作可能とする構成とすることもできる。例えば、電動遮蔽装置８及びリモートコントローラ８１に固有のＩＤを割り当て、これらのＩＤを基に、複数の電動遮蔽装置８を識別して個別に、或いは複数の電動遮蔽装置８を一括してグループ操作できるように設定すればよい。制御ユニット８０を備える電動遮蔽装置８は、移動端末１の操作を基に、通信経路７で示す信号処理装置２からの無線信号により操作することができる。そして、電動遮蔽装置８における制御ユニット８０は、移動端末１からの操作に係るコマンドを含む信号処理装置２からの無線信号であるか、リモートコントローラ８１からの操作に係るコマンドを含む無線信号であるかを識別できるようになっている。
【００４４】
図２は、本発明による第１実施形態の移動端末１、及び信号処理装置２の概略構成を示すブロック図である。上述したように、移動端末１は、無線ルーター３に対し通信経路６で示すＷｉ−Ｆｉ等の近距離無線通信が可能であり、この無線ルーター３に有線又は無線の通信経路４を経て接続される信号処理装置２と相互通信接続可能となっている。
【００４５】
そして、信号処理装置２は、移動端末１により、屋内に設置される種々の電動遮蔽装置８を操作可能とするためのＷｅｂサーバとして構成され、固有のＷｅｂアドレスを有する。移動端末１は、当該Ｗｅｂアドレスによって信号処理装置２に通信接続すると、Ｗｅｂサーバとして構成される信号処理装置２から、屋内に設置される種々の電動遮蔽装置８を操作可能とするユーザーインターフェース（ＵＩ）が提示されるＷｅｂ端末として機能する。
【００４６】
図２に示すように、信号処理装置２は、制御部２１、通信部２２，２４、及び記憶部２３を備え、制御部２１は、ＵＩ提示制御部２１１、ユーザ登録管理部２１２、ユーザ別設定管理部２１３、デバイス別状態情報管理部２１４、及びデバイス操作用無線信号処理部２１５を有している。
【００４７】
ここで、信号処理装置２はコンピューターで構成させることができる。当該コンピューターに、制御部２１の各機能を実現させるためのプログラムは、当該コンピューターの内部又は外部のメモリ（図示せず）に記憶される（当該メモリは記憶部２３と共有にしてもよい）。コンピューターに備えられる中央演算処理装置（ＣＰＵ）などの制御で、制御部２１の各機能を実現するための処理内容が記述されたプログラムを、適宜、当該メモリから読み込んで、制御部２１の各機能に相当する処理を当該コンピューターに実現させることができる。
【００４８】
通信部２２は、無線ルーター３を介して移動端末１との相互通信を行う機能部であり、移動端末１をＷｅｂ端末として機能させて、移動端末１からの操作に対応する処理を制御部２１の制御によって可能とする通信接続を行う。
【００４９】
通信部２４は、制御部２１の制御によって電動遮蔽装置８に備えられる制御ユニット８０との相互通信を行う機能部であり、上述したように、リモートコントローラ８１からの無線信号と共通の信号フォーマットで、尚且つ操作に係るコマンドをリモートコントローラ８１のコマンドとは区別可能な態様で識別可能に構成された無線信号により、制御ユニット８０との通信接続を行う。
【００５０】
尚、信号処理装置２の設置当初の電源投入時に、制御部２１は、屋内の種々の電動遮蔽装置８に備えられる制御ユニット８０との相互通信接続を試み、通信可能となった種々の電動遮蔽装置８に対し個々を識別するＩＤを自動的に割り当て（或いは予め設定されるＩＤを読み出し）、個々を識別するデバイス番号、デバイス種類（横型ブラインド、ロールスクリーン等）、及び操作可能内容（開閉に係る開度（開閉度合）やチルト、タイマー制御等）の情報を取得して、外部編集可能に記憶部２３に記憶する。ここで、信号処理装置２が用いる電動遮蔽装置８のＩＤは、信号処理装置２自身が管理するのに用いる識別子であるため、グループ操作可能としたリモートコントローラ８１で用いる電動遮蔽装置８のＩＤと一致させる必要はない。
【００５１】
外部編集として、例えば、デバイス番号１には「リビングＡ」、デバイス番号２には「リビングＢ」等のＵＩ表示を可能とする分かりやすいデバイス名称を付与することができる。また、本実施形態の信号処理装置２は、ユーザ単位での種々の電動遮蔽装置８を動作設定できるため、ユーザ毎に異なるデバイス名称を付与することもできる。この外部編集のために、当該タッチパネル式表示部１１に、屋内に設置される種々の電動遮蔽装置８を操作可能とするユーザーインターフェース（ＵＩ）を提示した際に、当該編集可能な編集メニュー欄を設けるか、又は、信号処理装置２自体に外部編集可能なキーボードや操作パネル等を設けるか、或いはネットワーク上に接続されるコンピューターにより当該外部編集を行えるように信号処理装置２が構成される。
【００５２】
ＵＩ提示制御部２１１は、タッチパネル式表示部１１に、屋内に設置される種々の電動遮蔽装置８を操作可能とするユーザーインターフェース（ＵＩ）を提示する機能部である。移動端末１に提示されるＵＩについては後述する。
【００５３】
ユーザ登録管理部２１２は、移動端末１に提示したＵＩを介してユーザ認証を行うためのユーザＩＤ及びパスワードをユーザに設定させ、記憶部２３に記憶保持して管理する機能部である。ユーザ認証は、ＵＩ提示制御部２１１の一機能としてユーザ認証用ＵＩを提示して行われ、ユーザ登録管理部２１２によって管理するユーザＩＤ及びパスワードが利用される。
【００５４】
ユーザ別設定管理部２１３は、移動端末１に提示したＵＩを介してユーザ毎に種々の電動遮蔽装置８の操作に係る各種設定をユーザに設定させ、記憶部２３に記憶保持して管理し、当該ＵＩ上に設定内容を提示可能とする機能部である。
【００５５】
デバイス別状態情報管理部２１４は、通信確立時の移動端末１に対し、その通信確立時における全ての操作可能な電動遮蔽装置８における遮蔽材の状態（動作中であるか否か、及び非動作中であれば遮蔽材の開閉状態）を、各電動遮蔽装置８の制御ユニット８０から取得し、電動遮蔽装置８別（即ちデバイス別）の状態情報管理テーブルを生成し、記憶部２３に記憶保持して管理し、当該ＵＩ上にデバイス別の状態情報を提示可能とする機能部である。
【００５６】
また、デバイス別状態情報管理部２１４は、通信確立後の移動端末１におけるＵＩ上の操作要求に応じて、操作対象の電動遮蔽装置８についてのみ、遮蔽材の状態（動作中であるか否か、及び非動作中であれば遮蔽材の開閉状態）を、当該電動遮蔽装置８の制御ユニット８０から取得し、当該電動遮蔽装置８の状態情報管理テーブルを更新し、記憶部２３に記憶保持して管理し、当該ＵＩ上に当該操作要求に係るデバイスの状態情報を提示可能とする機能も有する。
【００５７】
デバイス操作用無線信号処理部２１５は、移動端末１に提示したＵＩを介してユーザの操作に係るコマンドを含む操作対象の電動遮蔽装置８用（即ちデバイス用）の無線信号を生成し、通信部２４により当該無線信号を出力する機能部である。
【００５８】
また、図２に示すように、移動端末１は、制御部１０、タッチパネル式表示部１１、及び通信部１２を備え、制御部１０はＵＩ提示部１０１を有している。ＵＩ提示部１０１は、ユーザ登録部１０２、ユーザ別デバイス動作指定設定部１０３、及びデバイス操作部１０４を有している。
【００５９】
ここで、移動端末１はコンピューターで構成させることができる。当該コンピューターに、制御部１０の各機能を実現させるためのプログラムは、当該移動端末１の内部のメモリ（図示せず）に記憶される。コンピューターに備えられる中央演算処理装置（ＣＰＵ）などの制御で、制御部１０の各機能を実現するための処理内容が記述されたプログラムを、適宜、当該メモリから読み込んで、制御部１０の各機能に相当する処理を当該コンピューターに実現させることができる。
【００６０】
タッチパネル式表示部１１は、屋内に設置される種々の電動遮蔽装置８を操作可能とするユーザーインターフェース（ＵＩ）を提示させるためのタッチパネル式の表示画面を有し、操作者による所定種類のタッチ操作（スワイプ操作、ピンチイン操作、ピンチアウト操作、フリック操作、所定回数のタップ操作、及びロングタップ操作を含む）を検出し、そのタッチ操作に予め関連付けた動作を行うよう構成される。
【００６１】
通信部１２は、無線ルーター３を介して信号処理装置２との相互通信を行う機能部であり、信号処理装置２はＷｅｂサーバとして構成され、移動端末１をＷｅｂ端末として機能させる通信接続を行う。
【００６２】
ＵＩ提示部１０１は、信号処理装置２におけるＵＩ提示制御部２１１の制御によって、タッチパネル式表示部１１に、屋内に設置される種々の電動遮蔽装置８を操作可能とするＵＩを提示させる機能部である。ただし、本実施形態の移動端末１は、操作メニューを提示するアプリケーションを予め記憶して、このアプリケーションの実行によりＵＩをタッチパネル式表示部１１に提示することもできる。
【００６３】
ユーザ登録部１０２は、移動端末１に提示されたＵＩを介してユーザ認証を行うためのユーザＩＤ及びパスワードをユーザに設定させ、信号処理装置２におけるユーザ登録管理部２１２の制御によって管理させる機能部である。
【００６４】
ユーザ別デバイス動作指定設定部１０３は、移動端末１に提示されたＵＩを介してユーザ毎に種々の電動遮蔽装置８の操作に係る各種設定をユーザに設定させ、信号処理装置２におけるユーザ別設定管理部２１３の制御によって管理させる機能部である。
【００６５】
ユーザ別デバイス動作指定設定部１０３による各種設定として、複数の電動遮蔽装置８の操作を個別に行う“個別操作”、グループ指定した複数の電動遮蔽装置８の操作を一括して行う“グループ操作”、ユーザが所望する指定の電動遮蔽装置８の指定の操作を行う“お気に入り操作”、並びに指定した電動遮蔽装置８に対し所定時刻になると指定した動作を行う“タイマー操作”等に関する設定がある。これらの設定はユーザ単位で設定できるようになっている。
【００６６】
デバイス操作部１０４は、タッチパネル式表示部１１に提示されるＵＩ上で、操作者による所定種類のタッチ操作（スワイプ操作、ピンチイン操作、ピンチアウト操作、フリック操作、所定回数のタップ操作、及びロングタップ操作を含む）を検出し、そのタッチ操作に予め関連付けた動作を行う機能部である。例えば、デバイス操作部１０４は、移動端末１に提示されたＵＩを介して複数の電動遮蔽装置８の操作を個別に行う“個別操作”、ユーザ別デバイス動作指定設定部１１３の設定機能でグループ指定した複数の電動遮蔽装置８の操作を一括して行う“グループ操作”、及び指定した電動遮蔽装置８に対し所定時刻になると指定した動作を行う“タイマー操作”等を選択的に操作可能とする機能部である。
【００６７】
そして、信号処理装置２は、ユーザ別設定管理部２１３により、移動端末１に提示したＵＩを介してユーザ毎に種々の電動遮蔽装置８の操作に係る各種設定をユーザに設定させ、記憶部２３に記憶保持して管理し、当該ＵＩ上に設定内容を提示可能とする。
【００６８】
ところで、第１実施形態の移動端末１は、上述したように、種々の電動遮蔽装置８を遠隔操作可能とするよう構成されているが、タッチパネル式表示部１１に提示される操作対象の電動遮蔽装置８における遮蔽材の開閉（本例では昇降）操作又はチルト（回転）操作に係るＵＩが従来技法よりもその操作性を向上したものとなっており、以下、具体的に各実施例のデバイス操作画面について説明する。
【００６９】
（実施例１の表示画面）
図３（ａ）,（ｂ）,（ｃ）は、それぞれ本発明による第１実施形態の移動端末１による電動遮蔽装置８の遠隔操作のための実施例１のデバイス操作画面（昇降操作画面）を例示する図である。
【００７０】
第１実施形態における本実施例の移動端末１は、制御部１０におけるＵＩ提示部１０１の機能により、信号処理装置２との通信を確立すると、操作対象の電動遮蔽装置８における遮蔽材の開閉（本例では昇降）操作に係るＵＩとして、操作対象の電動遮蔽装置８の現在状態を示すデバイス表示画像をタッチパネル式表示部１１に提示する現在状態提示手段と、当該簡易表示画面上に当該現在状態にて操作可能なタスクを示す操作タスク画像を合成表示するタスク提示手段と、ＵＩ提示部１０１内のデバイス操作部１０４の機能により、当該タスクに対するタッチ操作で操作対象の電動遮蔽装置８の遠隔操作を実行する実行手段と、を備えるよう構成される。
【００７１】
より具体的に、移動端末１は、操作対象の電動遮蔽装置８の現在状態に応じて、遮蔽材が全閉状態にある時には図３（ａ）に例示するデバイス表示画像Ｐ１、遮蔽材が中間状態にある時には図３（ｂ）に例示するデバイス表示画像Ｐ１、遮蔽材が全開状態にある時には図３（ｃ）に例示するデバイス表示画像Ｐ１をタッチパネル式表示部１１に提示する。デバイス表示画像は、その現在状態に近似対応する複数種のデバイス表示画像を選択表示するか、若しくは電動遮蔽装置８を示す形状モデルの動きを物理法則に基づいて演算しレンダリングする、所謂コンピューターグラフィックス（ＣＧ）でデバイス表示画像を表示することができる。尚、移動端末１は、図３（ａ），（ｂ），（ｃ）に示すように、電動遮蔽装置８の遮蔽材の可動範囲を示す背景Ｐ２が描画されたものとするのが好適である。
【００７２】
そして、移動端末１は、タッチパネル式表示部１１に、操作対象の電動遮蔽装置８の現在状態にて操作可能なタスクを示す操作タスク画像を合成表示する。例えば、図３（ａ）に例示するように遮蔽材が全閉状態にある時には上昇操作が可能であるため、移動端末１は、直感的に理解できる上昇操作のタスクＵ１を示す操作タスク画像をそのデバイス表示画像Ｐ１に合成表示する。また、図３（ｂ）に例示するように遮蔽材が中間状態にある時には上昇操作又は下降操作が可能であるため、移動端末１は、直感的に理解できる上昇操作と下降操作のそれぞれのタスクＵ２を示す操作タスク画像をそのデバイス表示画像Ｐ１に合成表示する。そして、図３（ａ）に例示するように遮蔽材が全閉状態にある時には上昇操作が可能であるため、移動端末１は、直感的に理解できる下降操作のタスクＵ３を示す操作タスク画像をそのデバイス表示画像Ｐ１に合成表示する。
【００７３】
移動端末１の操作者は、当該タスクを示す操作タスク画像をタッチ操作すると、当該タッチ操作に対応するコマンドを含む無線信号が信号処理装置２から当該操作対象の電動遮蔽装置８に送信され、当該操作対象の電動遮蔽装置８が当該タッチ操作に対応する動作を行う。このようにして、移動端末１は、当該操作対象の電動遮蔽装置８の遠隔操作を実行する。これにより、移動端末１の操作者は、当該操作対象の電動遮蔽装置８の現在状態に対し可能とする操作を直感的に理解でき、操作性を向上させることができる。
【００７４】
ここで、移動端末１のＵＩ提示部１０１の機能により構成される当該現在状態提示手段は、当該遠隔操作に対応して動作する操作対象の電動遮蔽装置８の状態をデバイス表示画像Ｐ１としてタッチパネル式表示部１１に更新提示する手段を有するよう構成し、タスク提示手段は当該更新提示した該デバイス表示画像Ｐ１上に当該遠隔操作に対応して動作した状態にて操作可能なタスクを示す操作タスク画像を動的に合成表示する手段を有するのが好適である。例えば、図３（ａ）に例示するタスクＵ１のタッチ操作の上昇操作後、アニメーション動画のように、デバイス表示画像Ｐ１を図３（ｂ）に例示する中間状態へと遷移するよう更新提示し、併せて更新提示したデバイス表示画像Ｐ１上に当該遠隔操作に対応して動作した状態にて操作可能なタスクＵ２を示す操作タスク画像を動的に合成表示し、更なるタッチ操作がなければ、いずれ図３（ｃ）に例示する全開状態へと遷移するよう更新提示し、併せてその操作可能なタスクＵ３を示す操作タスク画像を動的に合成表示する。
【００７５】
このように、移動端末１は、順次アニメーションのようにデバイス表示画像Ｐ１を更新提示するとともに、逐次、当該操作対象の電動遮蔽装置８の現在状態に応じたタスクＵ１〜Ｕ３を示す操作タスク画像を動的に合成表示することで、移動端末１の操作者は、直感的に理解でき、その操作性をより一層向上させることができる。
【００７６】
（実施例２の表示画面）
図４（ａ）,（ｂ）は、それぞれ本発明による第１実施形態の移動端末１による電動遮蔽装置８の遠隔操作のための実施例２のデバイス操作画面（昇降／回転操作切り替え画面）を例示する図である。
【００７７】
第１実施形態における実施例２に係る移動端末１は、図３を参照して説明した実施例１と同様に、制御部１０におけるＵＩ提示部１０１の機能により、信号処理装置２との通信を確立すると、操作対象の電動遮蔽装置８における遮蔽材の開閉（本例では昇降）操作又はチルト（回転）操作に係るＵＩとして、操作対象の電動遮蔽装置８の現在状態を示すデバイス表示画像をタッチパネル式表示部１１に提示する現在状態提示手段と、当該簡易表示画面上に当該現在状態にて操作可能なタスクを示す操作タスク画像を合成表示するタスク提示手段と、ＵＩ提示部１０１内のデバイス操作部１０４の機能により、当該タスクに対するタッチ操作で操作対象の電動遮蔽装置８の遠隔操作を実行する実行手段と、を備えるよう構成される。
【００７８】
ただし、本実施例では、操作対象の電動遮蔽装置８が遮蔽材の開閉（本例では昇降）操作だけでなく、遮蔽材のチルト（回転）操作が可能である場合を想定し、この場合、実施例の移動端末１のＵＩ提示部１０１の機能により構成される当該現在状態提示手段は、遮蔽材の開閉操作時と遮蔽材の回転操作時とで、当該デバイス表示画像及び当該操作タスク画像を示すＵＩをタッチ操作で切り替える画面切替手段を更に備えるよう構成される。
【００７９】
より具体的に、実施例２に係る移動端末１は、遮蔽材の開閉（本例では昇降）操作に関して図３に示す実施例１と同様とし（図４（ａ）参照）、遮蔽材のチルト（回転）操作を行いたいときは、タッチパネル式表示部１１に対する予め定めたタッチ操作（ダブルタップ、スワイプ等）で、当該遮蔽材の回転操作時の操作対象の電動遮蔽装置８の現在状態を示すデバイス表示画像Ｐ３に切り替え、併せて当該簡易表示画面Ｐ３上に当該現在状態にて操作可能なタスク（当該遮蔽材の回転操作として正回転のタスクＵ４、逆回転のタスクＵ５）を示す操作タスク画像を合成表示する（図４（ｂ）参照）。
【００８０】
実施例２においても、実施例１と同様に、図４（ａ），（ｂ）の各々における当該デバイス表示画像及び当該操作タスク画像を示すＵＩ上で、移動端末１のＵＩ提示部１０１の機能により構成される当該現在状態提示手段は、当該遠隔操作に対応して動作する操作対象の電動遮蔽装置８の状態をデバイス表示画像Ｐ１又はＰ３としてタッチパネル式表示部１１に更新提示する手段を有するよう構成し、タスク提示手段は当該更新提示した該デバイス表示画像Ｐ１又はＰ３上に当該遠隔操作に対応して動作した状態にて操作可能なタスクを示す操作タスク画像を動的に合成表示する手段を有するのが好適である。
【００８１】
このような実施例２に係る構成において、移動端末１は、操作対象の電動遮蔽装置８が遮蔽材の開閉（本例では昇降）操作だけでなく、遮蔽材のチルト（回転）操作が可能である場合でも向上させることができ、更に、順次アニメーションのようにデバイス表示画像Ｐ１を更新提示するとともに、逐次、当該操作対象の電動遮蔽装置８の現在状態に応じたタスクＵ１〜Ｕ５を示す操作タスク画像を動的に合成表示することで、移動端末１の操作者は、直感的に理解でき、その操作性をより一層向上させることができる。
【００８２】
（実施例３，４の表示画面）
図５（ａ）,（ｂ）は、それぞれ本発明による第１実施形態の移動端末１による電動遮蔽装置８の遠隔操作のための実施例３，４のデバイス操作画面（昇降及び回転操作画面）を例示する図である。
【００８３】
第１実施形態における実施例３に係る移動端末１は、図３を参照して説明した実施例１と同様に、制御部１０におけるＵＩ提示部１０１の機能により、信号処理装置２との通信を確立すると、操作対象の電動遮蔽装置８における遮蔽材の開閉（本例では昇降）操作又はチルト（回転）操作に係るＵＩとして、操作対象の電動遮蔽装置８の現在状態を示すデバイス表示画像をタッチパネル式表示部１１に提示する現在状態提示手段と、当該簡易表示画面上に当該現在状態にて操作可能なタスクを示す操作タスク画像を合成表示するタスク提示手段と、ＵＩ提示部１０１内のデバイス操作部１０４の機能により、当該タスクに対するタッチ操作で操作対象の電動遮蔽装置８の遠隔操作を実行する実行手段と、を備えるよう構成される。
【００８４】
ただし、本実施例では、操作対象の電動遮蔽装置８が遮蔽材の開閉（本例では昇降）操作だけでなく、遮蔽材のチルト（回転）操作が可能である場合を想定し、この場合、実施例の移動端末１のＵＩ提示部１０１の機能により構成される当該現在状態提示手段は、当該デバイス表示画像及び当該操作タスク画像を並列に（図５（ａ）に示す実施例３）、又は同時に（図５（ｂ）に示す実施例４）示す現在状態・タスク提示手段を更に備えるよう構成される。
【００８５】
より具体的に、図５（ａ）に例示する実施例３に係る移動端末１は、遮蔽材の開閉（本例では昇降）操作と、遮蔽材のチルト（回転）操作が一画面内で行えるように、タッチパネル式表示部１１に、それぞれに対応する当該デバイス表示画像Ｐ１又はＰ３、及び当該操作可能なタスク（例えば当該遮蔽材の上昇操作としてのタスクＵ１と、当該遮蔽材の回転操作として正回転のタスクＵ４、逆回転のタスクＵ５）を示す操作タスク画像が並列表示されるＵＩを提示し、このＵＩの機能は、図３及び図４を参照して上述した実施例１，２で説明した機能と同様である。
【００８６】
また、図５（ｂ）に例示する実施例４に係る移動端末１は、遮蔽材の開閉（本例では昇降）操作と、遮蔽材のチルト（回転）操作が一画面内で行えるように、タッチパネル式表示部１１に、当該デバイス表示画像Ｐ３、及び当該操作可能なタスク（例えば当該遮蔽材の上昇操作としてのタスクＵ１と、当該遮蔽材の回転操作として正回転のタスクＵ４、逆回転のタスクＵ５）を示す操作タスク画像が同時表示されるＵＩを提示し、このＵＩの機能は、図３及び図４を参照して上述した実施例１，２で説明した機能と同様である。
【００８７】
このような実施例３，４に係る構成において、移動端末１は、操作対象の電動遮蔽装置８が遮蔽材の開閉（本例では昇降）操作だけでなく、遮蔽材のチルト（回転）操作が可能である場合でも向上させることができ、更に、順次アニメーションのようにデバイス表示画像Ｐ１を更新提示するとともに、逐次、当該操作対象の電動遮蔽装置８の現在状態に応じたタスクＵ１〜Ｕ５を示す操作タスク画像を動的に合成表示することで、移動端末１の操作者は、直感的に理解でき、その操作性をより一層向上させることができる。
【００８８】
（変形例）
上述した図３乃至図５にそれぞれ示す実施例１乃至４に係る構成の変形例として、移動端末１における当該実行手段が、当該タスクに対するタッチ操作の押圧レベルに応じて遮蔽材の開閉速度を可変に対応付けて実行する手段を有する。この場合、移動端末１の制御部１０は、タッチパネル式表示部１１に対し３Ｄ（dimensional）タッチの機能を有するものとする。例えば、移動端末１は、当該タスクに対するタッチ操作の押圧レベルについて連続的な変化、又は段階的な変化で検出するよう予め定めておき、当該タスクに対するタッチ操作の押圧レベルが大きいときは遮蔽材の開閉（本例では昇降）速度を速いものとし、当該タスクに対するタッチ操作の押圧レベルが小さいときは遮蔽材の開閉（本例では昇降）速度を遅いものとして、当該操作対象の電動遮蔽装置８を遠隔操作する。
【００８９】
これにより、移動端末１の操作者は、直感的に理解でき、その操作性をより一層向上させることができるとともに、利便性が向上する。
【００９０】
〔第２実施形態〕
上述した第１実施形態では、移動端末１のタッチパネル式表示部１１に提示されるＵＩによって、電動遮蔽装置８の遠隔操作に関する操作性を向上させる形態を説明したが、第２実施形態では、図６に示すように、移動端末１の物理角度、物理動作速度、物理動作加速度等の動作によって所望される電動遮蔽装置８の遮蔽材８１の開閉又は回転等の遠隔操作を対応付けることで、電動遮蔽装置８の遠隔操作に関する操作性を向上させるようにしている。
【００９１】
（システム全体）
本発明による第２実施形態の移動端末１による電動遮蔽装置８の遠隔操作システムは、図１に示すシステムを変形適用することが可能であり、同様な構成要素には同一の参照番号を付しており、主として相違点について説明する。まず、本実施形態に係る移動端末１は、移動端末１と電動遮蔽装置８との間に設置される中継変換機として機能する信号処理装置２からデバイス操作（電動遮蔽装置８の操作）に関する各種設定や操作選択用の操作メニュー（図示略）を示すユーザーインターフェース（ＵＩ）が提示されるが、電動遮蔽装置８の遠隔操作の実行は、移動端末１の物理角度、物理動作速度、物理動作加速度等の動作によって行う点で、第１実施形態とは相違している。
【００９２】
また、本実施形態の変形例として、移動端末１は、操作メニューを提示するアプリケーションを予め記憶して、このアプリケーションの実行により、信号処理装置２を経て電動遮蔽装置８を遠隔操作する構成とすることや、信号処理装置２を各電動遮蔽装置８に備え付けることで、移動端末１が操作対象の電動遮蔽装置８と直接的に通信する形態とすることもできる。
【００９３】
図７は、本発明による第２実施形態の移動端末１、及び信号処理装置２の概略構成を示すブロック図である。第２実施形態の移動端末１は、第１実施形態と同様、無線ルーター３に対し通信経路６で示すＷｉ−Ｆｉ等の近距離無線通信が可能であり、この無線ルーター３に有線又は無線の通信経路４を経て接続される信号処理装置２と相互通信接続可能となっている。
【００９４】
図７に示すように、信号処理装置２は、上述した図２に示すものと同様に構成され、更なる詳細は省略するが、移動端末１により、屋内に設置される種々の電動遮蔽装置８を操作可能とするためのＷｅｂサーバとして構成され、固有のＷｅｂアドレスを有する。移動端末１は、当該Ｗｅｂアドレスによって信号処理装置２に通信接続すると、Ｗｅｂサーバとして構成される信号処理装置２から、屋内に設置される種々の電動遮蔽装置８を操作可能とするユーザーインターフェース（ＵＩ）が提示されるＷｅｂ端末として機能する。
【００９５】
図７に示す移動端末１は、制御部１０、タッチパネル式表示部１１、通信部１２、及び状態センサ１３を備え、制御部１０はＵＩ提示部１０１を有している。ＵＩ提示部１０１は、ユーザ登録部１０２、ユーザ別デバイス動作指定設定部１０３、デバイス操作部１０４、及び傾動動作認識部１０５を有している。図７に示す移動端末１は、図２に示す第１実施形態に係る構成と比較して、状態センサ１３を備え、ＵＩ提示部１０１が傾動動作認識部１０５を有している点で相違している。状態センサ１３は、移動端末１の物理角度、物理動作速度、物理動作加速度等の動作を検知可能とするジャイロセンサや加速度センサであり、近年のスマートフォン等の移動端末の多くに設けられている。また、状態センサ１３は、方向性の振動を検知する衝撃センサとしてもよい。
【００９６】
タッチパネル式表示部１１は、屋内に設置される種々の電動遮蔽装置８を操作するための各種設定や操作選択用の操作メニュー（図示略）を示すユーザーインターフェース（ＵＩ）を提示させるためのタッチパネル式の表示画面を有し、操作者による所定種類のタッチ操作（スワイプ操作、ピンチイン操作、ピンチアウト操作、フリック操作、所定回数のタップ操作、及びロングタップ操作を含む）を検出し、そのタッチ操作に予め関連付けた動作を行うよう構成される。
【００９７】
通信部１２は、無線ルーター３を介して信号処理装置２との相互通信を行う機能部であり、信号処理装置２はＷｅｂサーバとして構成され、移動端末１をＷｅｂ端末として機能させる通信接続を行う。
【００９８】
ＵＩ提示部１０１は、信号処理装置２におけるＵＩ提示制御部２１１の制御によって、タッチパネル式表示部１１に、屋内に設置される種々の電動遮蔽装置８を操作するための各種設定や操作選択用の操作メニュー（図示略）を示すＵＩを提示させる機能部である。ただし、本実施形態の移動端末１は、操作メニューを提示するアプリケーションを予め記憶して、このアプリケーションの実行によりＵＩをタッチパネル式表示部１１に提示することもできる。
【００９９】
ユーザ登録部１０２は、移動端末１に提示されたＵＩを介してユーザ認証を行うためのユーザＩＤ及びパスワードをユーザに設定させ、信号処理装置２におけるユーザ登録管理部２１２の制御によって管理させる機能部である。
【０１００】
ユーザ別デバイス動作指定設定部１０３は、移動端末１に提示されたＵＩを介してユーザ毎に種々の電動遮蔽装置８の操作に係る各種設定をユーザに設定させ、信号処理装置２におけるユーザ別設定管理部２１３の制御によって管理させる機能部である。
【０１０１】
ユーザ別デバイス動作指定設定部１０３による各種設定として、複数の電動遮蔽装置８の操作を個別に行う“個別操作”、グループ指定した複数の電動遮蔽装置８の操作を一括して行う“グループ操作”、ユーザが所望する指定の電動遮蔽装置８の指定の操作を行う“お気に入り操作”、並びに指定した電動遮蔽装置８に対し所定時刻になると指定した動作を行う“タイマー操作”等に関する設定がある。これらの設定はユーザ単位で設定できるようになっている。
【０１０２】
傾動動作認識部１０５は、状態センサ１３により検知した移動端末１の状態（物理角度、物理動作速度、物理動作加速度等）の変化を示す信号を解析して当該移動端末１の傾動動作を認識し、操作対象の電動遮蔽装置８に対する遮蔽材の開閉（本例では昇降）操作又はチルト（回転）操作に関する、対応する予め定めた操作を決定し、デバイス操作部１０４に制御指示する機能部である。
【０１０３】
デバイス操作部１０４は、タッチパネル式表示部１１に提示されるＵＩ上で、操作者による所定種類のタッチ操作（スワイプ操作、ピンチイン操作、ピンチアウト操作、フリック操作、所定回数のタップ操作、及びロングタップ操作を含む）を検出し、そのタッチ操作に予め関連付けた動作（電動遮蔽装置８を操作するための各種設定や操作選択）を行う機能部である。例えば、デバイス操作部１０４は、移動端末１に提示されたＵＩを介して複数の電動遮蔽装置８の操作を個別に行う“個別操作”、ユーザ別デバイス動作指定設定部１１３の設定機能でグループ指定した複数の電動遮蔽装置８の操作を一括して行う“グループ操作”、及び指定した電動遮蔽装置８に対し所定時刻になると指定した動作を行う“タイマー操作”等を選択的に操作可能とする機能部である。
【０１０４】
ただし、本実施形態のデバイス操作部１０４は、操作対象の電動遮蔽装置８に対する遮蔽材の開閉（本例では昇降）操作又はチルト（回転）操作に関して、傾動動作認識部１０５からの制御指示に基づいて対応する予め定めた操作を実行するよう構成される。
【０１０５】
以下、第２実施形態の移動端末１における操作対象の電動遮蔽装置８に対する遮蔽材の開閉（本例では昇降）操作又はチルト（回転）操作に関する各実施例のデバイス操作動作について説明する。
【０１０６】
（実施例１のデバイス操作動作）
図８（ａ）,（ｂ）は、それぞれ本発明による第２実施形態の移動端末１による電動遮蔽装置８の遠隔操作のための実施例１のデバイス操作動作（昇降操作動作）を例示する図である。
【０１０７】
第２実施形態における実施例１に係る移動端末１は、自端末（移動端末１）の物理角度、物理動作速度、又は物理動作加速度を検知する状態センサ１３を備え、操作対象の電動遮蔽装置の現在状態に対し、状態センサ１３により三次元座標軸（ＸＹＺ軸）の三次元で当該移動端末１の傾動動作を認識する傾動動作認識手段（傾動動作認識部１０５）と、ＵＩ提示部１０１内のデバイス操作部１０４の機能により、当該移動端末１の傾動動作に応じて、当該操作対象の電動遮蔽装置８の遠隔操作を実行する実行手段と、を備えるよう構成される。
【０１０８】
図８に示す実施例１のデバイス操作動作として、移動端末１における当該実行手段は、当該移動端末１に関して予め登録又は予め定められた基準位置（例：水平）に対し三次元座標軸（ＸＹＺ軸）のいずれかの予め定めた少なくとも一軸方向（例：Ｚ軸、ただし１軸方向の傾動動作に限らず複合的な軸方向の傾動動作でもよい）の傾動動作を遮蔽材８１の昇降動作に対応付けて実行する手段を有するよう構成される。
【０１０９】
より具体的には、図８（ａ）に示すように、遮蔽材８１を上昇操作させたいときには、移動端末１の操作者は、移動端末１を上に傾ける（上方傾動）。すると、移動端末１は、傾動動作認識部１０５によって、移動端末１が上に傾けられた（Ｚ軸上で正方向傾斜された、或いはＸ軸で正方向回転された）ことを検知して、上昇操作する旨をデバイス操作部１０４に制御指示し、デバイス操作部１０４によって機能する当該実行手段が当該操作対象の電動遮蔽装置８の上昇操作に係る遠隔操作を実行する制御信号を出力する。
【０１１０】
一方、図８（ｂ）に示すように、遮蔽材８１を上昇操作させたいときには、移動端末１の操作者は、移動端末１を下に傾ける（下方傾動）。すると、移動端末１は、傾動動作認識部１０５によって、移動端末１が下に傾けられた（Ｚ軸上で負方向傾斜された、或いはＸ軸で負方向回転された）ことを検知して、下降操作する旨をデバイス操作部１０４に制御指示し、デバイス操作部１０４によって機能する当該実行手段が当該操作対象の電動遮蔽装置８の下降操作に係る遠隔操作を実行する制御信号を出力する。
【０１１１】
また、遮蔽材８１を当該上昇又は下降操作を停止させたいときには、移動端末１の操作者は、移動端末１を予め登録又は予め定められた基準位置（例：水平）に戻す。すると、移動端末１は、傾動動作認識部１０５によって、移動端末１が基準位置（例：水平）に戻されたことを検知して、下降操作する旨をデバイス操作部１０４に制御指示し、デバイス操作部１０４によって機能する当該実行手段が当該操作対象の電動遮蔽装置８の当該上昇又は下降操作を停止させる制御信号を出力する。
【０１１２】
尚、移動端末１は、予め登録又は予め定められた基準位置（例：水平）とする代わりに、当該移動端末による当該操作対象の電動遮蔽装置８を遠隔操作するための通信を確立した時点の当該移動端末の物理状態を基準位置（例：任意）とし、傾動動作認識部１０５によって、この基準位置から上方下方傾動したか、或いは下方傾動したかを認識し、それぞれ上昇操作、或いは下降操作するようデバイス操作部１０４に制御指示する構成とすることもできる。
【０１１３】
また、遮蔽材８１を当該上昇又は下降操作を停止させたいときに、移動端末１は、傾動動作認識部１０５によって移動端末１が基準位置に戻されたことを検知する代わりに、当該移動端末における予め定められたボタン（ボリュームボタン等）又はタッチパネル式表示部１１における任意位置のタッチ操作にて遮蔽材８１の昇降動作を停止させる制御信号を出力する手段を有するよう構成することもできる。
【０１１４】
更に、移動端末１は、傾動動作認識部１０５によって、当該基準位置に対し三次元座標軸（ＸＹＺ軸）のいずれかの予め定めた少なくとも一軸方向の傾動動作（１軸方向の傾動動作に限らず複合的な軸方向の傾動動作でもよい）の傾斜角度に応じて遮蔽材の開閉速度を可変に決定し、デバイス操作部１０４の機能による当該実行手段によって当該傾動動作の傾斜角度に対応付けて遮蔽材８１の開閉速度を可変に実行するよう構成することもできる。
【０１１５】
更に、移動端末１は、傾動動作認識部１０５によって、当該基準位置に対し三次元座標軸（ＸＹＺ軸）のいずれかの予め定めた少なくとも一軸方向の傾動動作（１軸方向の傾動動作に限らず複合的な軸方向の傾動動作でもよい）の速度又は加速度に応じて遮蔽材の開閉速度を可変に決定し、デバイス操作部１０４の機能による当該実行手段によって当該傾動動作の速度又は加速度に対応付けて遮蔽材８１の開閉速度を可変に実行するよう構成することもできる。
【０１１６】
更に、移動端末１は、傾動動作認識部１０５によって、当該基準位置に対し三次元座標軸（ＸＹＺ軸）のいずれかの予め定めた少なくとも一軸方向の傾動動作（１軸方向の傾動動作に限らず複合的な軸方向の傾動動作でもよい）の繰り返し回数に応じて遮蔽材の開閉速度を可変に決定し、デバイス操作部１０４の機能による当該実行手段によって当該傾動動作の繰り返し回数に対応付けて遮蔽材８１の開閉速度を可変に実行するよう構成することもできる。
【０１１７】
（実施例２のデバイス操作動作）
図９は、本発明による第２実施形態の移動端末１による電動遮蔽装置８の遠隔操作のための実施例２のデバイス操作動作（回転操作動作）を例示する図である。
【０１１８】
第２実施形態における実施例２に係る移動端末１は、図８を参照して説明した実施例１と同様に構成して遮蔽材８１の開閉（本例では昇降）操作を可能とし、尚且つ本実施例では、操作対象の電動遮蔽装置８が遮蔽材の開閉（本例では昇降）操作だけでなく、図９に示すように、遮蔽材のチルト（回転）操作が可能である場合を想定している。この場合、移動端末１は、傾動動作認識部１０５によって、当該基準位置（例えば：水平）に対し三次元座標軸（ＸＹＺ軸）のいずれかの予め定めた他軸方向（例：Ｙ軸）の傾動動作（ひねる動作）を認識し、それぞれ遮蔽材８１を正方向回転、或いは負方向回転で回転操作するようデバイス操作部１０４に制御指示し、デバイス操作部１０４の機能による当該実行手段によって当該他軸方向の傾動動作に対応付けて遮蔽材８１の回転操作を実行する手段を有するよう構成することができる。
【０１１９】
例えば、図９において、移動端末１は、当該基準位置（例えば：水平）に対しＹ軸で正方向に所定以上の傾斜角度を検知した場合、遮蔽材８１を正方向回転させるよう遠隔操作し、当該基準位置（例えば：水平）に対しＹ軸で負方向に所定以上の傾斜角度を検知した場合、遮蔽材８１を負方向回転させるよう遠隔操作するよう構成する。また、当該実行手段は、当該基準位置（例えば：水平）に対し三次元座標軸のうち予め定めた他軸方向の傾動動作の傾斜角度の大きさに対応付けて、遮蔽材８１の回転操作量を可変に実行する制御信号を出力する手段を有するよう構成することもできる。
【０１２０】
（実施例３のデバイス操作動作）
図１０（ａ）,（ｂ）は、それぞれ本発明による第２実施形態の移動端末１による電動遮蔽装置８の遠隔操作のための実施例３のデバイス操作動作（昇降操作動作）を例示する図である。
【０１２１】
図８及び図９を参照して上述した実施例１，２のデバイス操作動作では、移動端末１の物理角度、物理動作速度の動作に応じて操作対象の電動遮蔽装置８を遠隔操作する例を説明した。一方、図１０に示す実施例３のデバイス操作動作では、より単純に、移動端末１の物理動作加速度の検知（或いは方向性の振動検知）による振り上げ動作や振り下げ動作によって、操作対象の電動遮蔽装置８を遠隔操作する構成とした例である。
【０１２２】
実施例３に係る移動端末１は、傾動動作認識部１０５によって、三次元座標軸（ＸＹＺ軸）のいずれかの予め定めた少なくとも一軸方向の傾動動作（１軸方向の傾動動作に限らず複合的な軸方向の傾動動作でもよい）の所定の加速度の大きさに応じて遮蔽材の開閉操作量を決定し、デバイス操作部１０４の機能による当該実行手段によって当該傾動動作の所定の加速度の大きさに対応付けた開閉操作量で遮蔽材８１の開閉を実行する制御信号を出力するよう構成することもできる。
【０１２３】
例えば、実施例３に係る移動端末１は、図１０（ａ）に示すように所定の加速度をＺ軸正方向に検知した場合（振り上げ動作時）には遮蔽材８１を上昇させ、図１０（ｂ）に示すように所定の加速度をＺ軸負方向に検知した場合（振り下げ動作時）には遮蔽材８１を下降させるよう遠隔操作する構成とすることができる。
【０１２４】
また、実施例３の変形例として、移動端末１は、傾動動作認識部１０５によって、三次元座標軸（ＸＹＺ軸）のいずれかの予め定めた少なくとも一軸方向の傾動動作（１軸方向の傾動動作に限らず複合的な軸方向の傾動動作でもよい）の所定の加速度及び傾斜角度の双方の大きさに応じて遮蔽材の開閉操作量を決定し、デバイス操作部１０４の機能による当該実行手段によって当該傾動動作の所定の加速度及び傾斜角度の双方の大きさに対応付けた開閉操作量で遮蔽材８１の開閉を実行する制御信号を出力するよう構成することもできる。
【０１２５】
各制御信号は、信号処理装置２によって無線信号に変換されて当該操作対象の電動遮蔽装置８における制御ユニット８０に送信される。ここで、当該実行手段が出力する制御信号は、移動端末１の左右又は上下の傾動動作（振り動作を含む）を、それぞれ当該操作対象の電動遮蔽装置８における遮蔽材の左右又は上下の開閉方向に対応付けた制御信号とし、左右や上下の遮蔽材８１の開閉方向に対応付けることで電動縦型ブラインドや電動カーテンにも応用適用することが可能である。制御信号の出力時には移動端末１のバイブレーションで操作者に通知してもよい。これにより、移動端末１の傾動動作や振り動作で、当該操作対象の電動遮蔽装置８を遠隔操作することができ、操作性が向上する。尚、移動端末１による遠隔操作に係る通信を確立した操作対象の電動遮蔽装置８は、その通信を確立した旨を当該操作者に通知するために、電動遮蔽装置８に備え付けられるＬＥＤの点灯、又は遮蔽材８１の揺振動作（例えばスラットのパタパタ動作）で視覚的に通知するよう構成するのが好適である。
【０１２６】
〔第３実施形態〕
上述した第１及び第２実施形態では、電動遮蔽装置８の遠隔操作に関する移動端末１自体の操作性を向上させる例を説明したが、第３実施形態では、システム全体を工夫して、移動端末１による電動遮蔽装置８の遠隔操作に関する操作性を向上させるようにしている。
【０１２７】
（システム全体）
図１１は、本発明による第３実施形態の移動端末１による電動遮蔽装置８の遠隔操作システムの一例を示す図である。本発明による第３実施形態の移動端末１による電動遮蔽装置８の遠隔操作システムは、図１に示すシステムと比較して、移動端末１の構成（図１２）と、操作対象の電動遮蔽装置８が移動端末１によって受信可能なビーコン信号を発生するビーコン端末８３を備えている点で相違しているが、その他の構成は同様であり、同様な構成要素には同一の参照番号を付している。
【０１２８】
図１１に示すように、操作対象の電動遮蔽装置８は、移動端末１と第１の近距離無線通信を構成する通信経路５０を介して通信可能な固有のビーコン端末８３を備えている。ビーコン端末８３は、移動端末１によって受信可能なビーコン信号を発生する。このようなビーコン端末８３は、例えばBluetooth(登録商標) Low Energy（ＢＬＥ）のビーコン信号を発生する端末として構成され、ビーコン信号には当該電動遮蔽装置８を識別する識別子が付与されている。
【０１２９】
図１２は、本発明による第３実施形態の移動端末１、及び信号処理装置２の概略構成を示すブロック図である。第３実施形態の移動端末１は、第１実施形態と同様、無線ルーター３に対し通信経路６で示すＷｉ−Ｆｉ等の第２の近距離無線通信が可能であり、この無線ルーター３に有線又は無線の通信経路４を経て接続される信号処理装置２と相互通信接続可能となっている。そして、信号処理装置２と操作対象の電動遮蔽装置８は、通信経路７で示す第３の近距離無線通信を構成する無線信号（ブラインド専用）により相互通信接続可能となっている。
【０１３０】
図１２に示すように、信号処理装置２は、上述した図２に示すものと同様に構成され、更なる詳細は省略するが、移動端末１により、屋内に設置される種々の電動遮蔽装置８を操作可能とするためのＷｅｂサーバとして構成され、固有のＷｅｂアドレスを有する。移動端末１は、当該Ｗｅｂアドレスによって信号処理装置２に通信接続すると、Ｗｅｂサーバとして構成される信号処理装置２から、屋内に設置される種々の電動遮蔽装置８を操作可能とするユーザーインターフェース（ＵＩ）が提示されるＷｅｂ端末として機能する。
【０１３１】
図１２に示す移動端末１は、制御部１０、タッチパネル式表示部１１、及び通信部１２，１４を備え、制御部１０はＵＩ提示部１０１を有している。尚、移動端末１は、上述した図７に示す第２実施形態の移動端末１と同様に、状態センサ１３を備えていてもよい。ＵＩ提示部１０１は、ユーザ登録部１０２、ユーザ別デバイス動作指定設定部１０３、デバイス操作部１０４、及びビーコン信号検出部１０６を有している。図１２に示す移動端末１は、図２に示す第１実施形態に係る構成と比較して、通信部１４を備え、ＵＩ提示部１０１がビーコン信号検出部１０６を有している点で相違している。通信部１４は、操作対象の電動遮蔽装置８に設けられるビーコン端末８３から発信されるビーコン信号を受信し、制御部１０に通知するよう機能する。そして、ビーコン信号検出部１０６は、通信部１４を経て受信したビーコン信号を発信した電動遮蔽装置８を検出する機能を有する。
【０１３２】
タッチパネル式表示部１１は、屋内に設置される種々の電動遮蔽装置８を操作するための各種設定や操作選択用の操作メニュー（図示略）、或いはデバイス操作に係るユーザーインターフェース（ＵＩ）を提示させるためのタッチパネル式の表示画面を有し、操作者による所定種類のタッチ操作（スワイプ操作、ピンチイン操作、ピンチアウト操作、フリック操作、所定回数のタップ操作、及びロングタップ操作を含む）を検出し、そのタッチ操作に予め関連付けた動作を行うよう構成される。
【０１３３】
通信部１２は、無線ルーター３を介して信号処理装置２との相互通信を行う機能部であり、信号処理装置２はＷｅｂサーバとして構成され、移動端末１をＷｅｂ端末として機能させる通信接続を行う。
【０１３４】
ＵＩ提示部１０１は、ビーコン信号の検出をトリガとして、信号処理装置２におけるＵＩ提示制御部２１１の制御によって、タッチパネル式表示部１１に、屋内に設置される種々の電動遮蔽装置８を操作するための各種設定や操作選択用の操作メニュー（図示略）を示すＵＩを提示させる機能部である。
【０１３５】
ユーザ登録部１０２は、移動端末１に提示されたＵＩを介してユーザ認証を行うためのユーザＩＤ及びパスワードをユーザに設定させ、信号処理装置２におけるユーザ登録管理部２１２の制御によって管理させる機能部である。
【０１３６】
ユーザ別デバイス動作指定設定部１０３は、移動端末１に提示されたＵＩを介してユーザ毎に種々の電動遮蔽装置８の操作に係る各種設定をユーザに設定させ、信号処理装置２におけるユーザ別設定管理部２１３の制御によって管理させる機能部である。
【０１３７】
ユーザ別デバイス動作指定設定部１０３による各種設定として、複数の電動遮蔽装置８の操作を個別に行う“個別操作”、グループ指定した複数の電動遮蔽装置８の操作を一括して行う“グループ操作”、ユーザが所望する指定の電動遮蔽装置８の指定の操作を行う“お気に入り操作”、並びに指定した電動遮蔽装置８に対し所定時刻になると指定した動作を行う“タイマー操作”等に関する設定がある。これらの設定はユーザ単位で設定できるようになっている。
【０１３８】
上述したように、通信部１４は、操作対象の電動遮蔽装置８に設けられるビーコン端末８３から発信されるビーコン信号を受信し、制御部１０に通知するよう機能する。移動端末１は、例えばBluetooth (登録商標) Low Energy（ＢＬＥ）であればビーコン端末８３から数ｍ〜数１０ｍの範囲でビーコン信号を受信できる。
【０１３９】
ビーコン信号検出部１０６は、通信部１４を経て受信した所定値以上の信号強度のビーコン信号（接近するほど電界強度が大きくなる）を発信した電動遮蔽装置８を検出し、そのビーコン信号の検出をトリガとして、ＵＩ提示部１０１の機能により当該電動遮蔽装置８を操作するためのＵＩをタッチパネル式表示部１１に提示させる機能を有する。
【０１４０】
デバイス操作部１０４は、タッチパネル式表示部１１に提示されるＵＩ上で、操作者による所定種類のタッチ操作（スワイプ操作、ピンチイン操作、ピンチアウト操作、フリック操作、所定回数のタップ操作、及びロングタップ操作を含む）を検出し、そのタッチ操作に予め関連付けた動作（電動遮蔽装置８を操作するための各種設定や操作選択）を行う機能部である。例えば、デバイス操作部１０４は、移動端末１に提示されたＵＩを介して複数の電動遮蔽装置８の操作を個別に行う“個別操作”、ユーザ別デバイス動作指定設定部１１３の設定機能でグループ指定した複数の電動遮蔽装置８の操作を一括して行う“グループ操作”、及び指定した電動遮蔽装置８に対し所定時刻になると指定した動作を行う“タイマー操作”等を選択的に操作可能とする機能部である。
【０１４１】
ただし、本実施形態のデバイス操作部１０４は、ビーコン信号を発信した電動遮蔽装置８を操作対象として起動したＵＩを基に、当該電動遮蔽装置８に対する遮蔽材の開閉（本例では昇降）操作又はチルト（回転）操作を実行するよう構成される。
【０１４２】
即ち、図１１に示す本発明による第３実施形態の移動端末１による電動遮蔽装置８の遠隔操作システムは、移動端末１と第１の近距離無線通信を介して通信可能な固有のビーコン端末８３を有する電動遮蔽装置８と、電動遮蔽装置８に設けられるビーコン端末８３から該電動遮蔽装置８を遠隔操作可能とする旨を示すビーコン信号を受信する移動端末１と、当該移動端末１から送信される当該操作要求を受け付け当該操作要求に係る電動遮蔽装置８の操作に関するＵＩを移動端末１に提示する手段、そのＵＩ上の操作を受け付け対応する制御コマンドを含む無線信号を第３の近距離無線通信を介して当該電動遮蔽装置８に送信し実行させる手段を有する信号処理装置２と、を備えるように構成される。
【０１４３】
そして、図１１に示す遠隔操作システムにおいて、移動端末１は、電動遮蔽装置８に設けられるビーコン端末８３から該電動遮蔽装置８を遠隔操作可能とする旨を示すビーコン信号を受信し、無線ルーター３を介する第２の近距離無線通信を介して信号処理装置２と通信し当該ビーコン信号を発信した電動遮蔽装置８の操作要求を信号処理装置８に対しユーザ認証を基に送信し、当該ビーコン信号を受信した電動遮蔽装置８の操作に関するＵＩをタッチパネル式表示部１１に提示させる手段、及び、当該ＵＩを基に当該電動遮蔽装置８の操作を実行する制御信号を出力する手段を有するように構成される。
【０１４４】
図１１に示すように、移動端末１は、遠隔操作可能とする旨を示すビーコン信号を受信した１以上の電動遮蔽装置８を識別可能にタッチパネル式表示部１１に表示する。例えば、図１１に示すように、“ブラインドＮｏ．１”、“ブラインドＮｏ．４”のように予め登録されているブラインド名で、ビーコン信号を受信した２台の電動遮蔽装置８を識別可能な選択画面Ｐ０をタッチパネル式表示部１１に表示する。“ブラインドＮｏ．１”、“ブラインドＮｏ．４”の選択画面Ｐ０は、それぞれタッチ操作で操作選択なタスクＵ６、Ｕ７ｔｏｓｉｔｅ提示され、例えば移動端末１の操作者が“ブラインドＮｏ．１”のタスクＵ６を選択すると、上述した第１実施形態に係るＵＩが提示され、“ブラインドＮｏ．１”の操作が可能となる。尚、デバイス操作に関して、第２実施形態に係る移動端末１の傾動に基づく操作であってもよいし、特許文献１に開示されるような従来からのＵＩであってもよい。
【０１４５】
（システム動作）
図１３は、本発明による第３実施形態に係る遠隔操作システムの動作例を示すフローチャートである。まず、電動遮蔽装置８はビーコン信号の発信している（ステップＳ１）。
【０１４６】
移動端末１の操作者は、複数の伝送遮蔽装置８のうち、操作したい電動遮蔽装置８に接近すると、移動端末１は、ビーコン信号検出部１０６により、通信部１４により受信したビーコン信号のうち、所定値以上の信号強度を持つビーコン信号を発信した電動遮蔽装置８を検出し、信号処理装置２との通信を確立し、信号処理装置２に対しユーザ認証を基に操作要求を行う（ステップＳ３，Ｓ４）。
【０１４７】
ユーザ認証後、信号処理装置２は、ＵＩ提示制御部２１１の機能により、当該ビーコン信号を受信した電動遮蔽装置８の操作に関するＵＩをタッチパネル式表示部１１に提示するよう制御する（ステップＳ５）。
【０１４８】
移動端末１のタッチパネル式表示部１１にＵＩが提示されると、随意、ユーザ別デバイス動作指定設定部１０３の機能により、ユーザ別デバイス動作指定の設定を行い（ステップＳ６）、信号処理装置２に対し管理させる（ステップＳ７）。
【０１４９】
そして、当該ビーコン信号を受信した電動遮蔽装置８の操作を行いたいときは、当該電動遮蔽装置８をタッチ操作で指定して操作画面のＵＩを提示し、当該ビーコン信号を検知したデバイス（電動遮蔽装置８）の操作を実行する（ステップＳ８）。
【０１５０】
当該デバイス（電動遮蔽装置８）の操作実行により、信号処理装置２は、デバイス操作用無線信号を生成し、当該操作対象の電動遮蔽装置８の制御ユニット８０に向けて送信する（ステップＳ９）。
【０１５１】
当該無線信号を受け付けた制御ユニット８０を備える当該操作対象の電動遮蔽装置８は、該無線信号に含まれる操作に係るコマンドを抽出し、該コマンドに応じた動作を開始し、逐次、現在状態を示す情報を信号処理装置２に応答し、随意、上述した第１実施形態で説明したように、信号処理装置２は移動端末１のタッチパネル式表示部１１に提示するＵＩ上に反映する（ステップＳ１０）。
【０１５２】
これにより、移動端末１の操作者は、複数の伝送遮蔽装置８のうち、操作したい電動遮蔽装置８に接近するのみで、当該操作したい電動遮蔽装置８の操作に係るＵＩを自動的にタッチパネル式表示部１１に提示させ、操作できるようになり、その操作性が向上する。
【０１５３】
以上、特定の実施形態の例を挙げて本発明を説明したが、本発明は前述の実施形態の例に限定されるものではなく、その技術思想を逸脱しない範囲で種々変形可能である。例えば、上述した例では特定の実施形態の例を上げて説明したが、本発明はこれに限定されるものではなく、特許請求の範囲の記載によってのみ制限される。
【産業上の利用可能性】
【０１５４】
本発明によれば、移動端末により電動遮蔽装置を遠隔操作する際の操作性が向上するので、移動端末により電動遮蔽装置を操作可能とするシステムの用途に有用である。
【符号の説明】
【０１５５】
１  移動端末
２  信号処理装置
３  無線ルーター
８  電動遮蔽装置
１０  制御部
１３  状態センサ
１２，１４  通信部
２１  制御部
２２，２４  通信部
２３  記憶部
８０  制御ユニット
８１  リモートコントローラ
８２  有線スイッチ
８３  ビーコン端末
１０１  ＵＩ提示部
１０２  ユーザ登録部
１０３  ユーザ別デバイス動作指定設定部
１０４  デバイス操作部
１０５  傾動動作認識部
１０６  ビーコン信号検出部
２１１  ＵＩ提示制御部
２１２  ユーザ登録管理部
２１３  ユーザ別設定管理部
２１４  デバイス別状態情報管理部
２１５  デバイス操作用無線信号処理部
【図１】
2019114880.tif 000003
【図２】
2019114880.tif 000004
【図３】
2019114880.tif 000005
【図４】
2019114880.tif 000006
【図５】
2019114880.tif 000007
【図６】
2019114880.tif 000008
【図７】
2019114880.tif 000009
【図８】
2019114880.tif 000010
【図９】
2019114880.tif 000011
【図１０】
2019114880.tif 000012
【図１１】
2019114880.tif 000013
【図１２】
2019114880.tif 000014
【図１３】
2019114880.tif 000015